(57)【要約】【課題】電磁炉に適用される加熱パッドを提供する。【解決手段】底部が電磁炉の炉面に吸着され、頂部に容器が置かれるパッド本体と、パッド本体内に収容される金属板と、を備え、容器及び加熱パッドが電磁炉の炉面に置かれ且つ電磁炉の電源がオンになった後、電磁炉のコイルが金属板を加熱することにより、容器内の食べ物が加熱され、該加熱パッドにより、容器は、電磁炉に安定的に置かれ加熱され、且つ電磁炉から容易に除去可能である。【選択図】図３
0003174629.tif 000002
【実用新案登録請求の範囲】
【請求項１】
底部及び頂部と、前記底部と頂部との間に接続される周壁とを含み、前記底部、頂部、及び周壁の間には収容室が区画され、前記底部の周囲が前記周壁に突出し且つ下へ弧状に折り曲げられることにより、底部の下表面が電磁炉の炉面に吸着され、頂部に容器が置かれるパッド本体と、
前記パッド本体の収容室内に収容され、底面が前記パッド本体の底部に接触し、頂面が前記パッド本体の頂部に接触される金属板と、
ことを特徴とする電磁炉に適用される加熱パッド。
【請求項２】
前記パッド本体の周壁から外方へ延在し、前記パッド本体の底部周囲とリブにより接続されることにより、捻られた場合には前記パッド本体の底部周囲が連動されるようにするハンドルをさらに備えることを特徴とする請求項１に記載の電磁炉に適用される加熱パッド。
【請求項３】
前記パッド本体の頂部周囲が前記周壁に突出し且つ上へ弧状に折り曲げられることにより、前記容器は、前記パッド本体の頂部に吸着可能であることを特徴とする請求項２に記載の電磁炉に適用される加熱パッド。
【請求項４】
前記パッド本体は、シリカゲルの弾性変形可能な材料からなり、前記金属板は、鉄、鋼、鋳鉄等の磁気伝導可能な金属材料からなり、前記パッド本体の頂部中央及び前記パッド本体の底部中央には貫通孔が、前記金属板には複数の貫通孔がそれぞれ設けられていることを特徴とする請求項３に記載の電磁炉に適用される加熱パッド。
【考案の詳細な説明】
【技術分野】
【０００１】
本考案は、加熱パッドに関し、特に容器が電磁炉に安定的に置かれ加熱されるようにするための加熱パッドに関するものである。
【背景技術】
【０００２】
一般の家庭では、通常、食べ物を加熱するための電磁炉が用意されており、食べ物は、例えば鍋の容器に収容され、容器は、鋳鉄、鉄又は鋼等の磁気伝導可能な金属材料からなる。容器が電磁炉に置かれると、電磁炉内部の検知装置によって検知され、電磁炉内部のコイルが導通し、容器の底部に渦電流が生成される熱効果により容器内の食べ物が加熱される。
【考案の概要】
【考案が解決しようとする課題】
【０００３】
しかしながら、電磁炉の平坦炉面に置かれる容器が滑りやすいため、ユーザは、容器が滑り落ちることに気を付けなければならない。容器内にお湯が入っている場合は、容器が電磁炉からずれたり滑り落ちたりすると、やけどになる虞がある。
【０００４】
従って、容器が例えば電磁炉の炉面に安定的に置かれ加熱されるようにするための加熱パッドが必要となっている。
【課題を解決するための手段】
【０００５】
そこで、本考案は、電磁炉に適用され、電磁炉の炉面に吸着され、容器が置かれることができる加熱パッドを提供することを目的とする。この加熱パッドにより、容器は、電磁炉に安定的に置かれ加熱され、且つ電磁炉から容易に除去可能である。
【０００６】
本考案に係る加熱パッドは、パッド本体と、パッド本体内に収容される金属板と、を備え、該パッド本体の底部が電磁炉の炉面に吸着され、該パッド本体の頂部に容器が置かれる。容器及び加熱パッドが電磁炉の炉面に置かれ且つ電磁炉の電源がオンになった後、電磁炉のコイルが金属板を加熱し、これにより容器内の食べ物が加熱される。
【考案の効果】
【０００７】
本考案に係る加熱パッドによれば、容器は、電磁炉に安定的に置かれ加熱され、電磁炉から容易に除去可能である。
【図面の簡単な説明】
【０００８】
【図１】本考案に係る第１の実施例の加熱パッドの分解図を示す。
【図２】図１の加熱パッドの立体図を示す。
【図３】図２の加熱パッドの断面図を示す。
【図４】図１の加熱パッドが電磁炉の炉面に吸着され、容器が該加熱パッドに置かれる模式図を示す。
【図５】図４の容器が加熱パッドから除去される模式図を示す。
【図６】本考案に係るバルブの第２の実施例の模式図を示す。
【図６】本考案に係る第２の実施例の加熱パッドの断面図を示す。
【図７】本考案に係る第３の実施例の加熱パッドの断面図を示す。
【考案を実施するための形態】
【０００９】
図１ないし図５は、本考案に係る第１の実施例の加熱パッド１０を示す。加熱パッド１０は、例えば鍋の容器１２が置かれ、且つ例えば電磁炉１４の支持体に置かれ位置決められることに適用される。加熱パッド１０により、容器１２は、電磁炉１４に安定的に置かれ加熱されることが可能である。
【００１０】
加熱パッド１０は、パッド本体１６と少なくとも１つの金属板１８とを備える。パッド本体１６は、例えばシリカゲルの弾性変形可能な材料からなる。パッド本体１６は、互いに対向する底部２０及び頂部２２と、底部２０と頂部２２との間に接続される周壁２４とを備え、底部２０、頂部２２、及び周壁２４の間に収容室２６が区画される。パッド本体１６の底部２０の周囲２８は、径方向において周壁２４に突出し且つ下へ弧状に形成され、こりによりパッド本体１６の底部２０が吸盤作用を有する。従って、パッド本体１６の底部２０の下表面２９は、電磁炉１４の炉面に吸着可能である。さらに、パッド本体１６の頂部２２の周囲３０は、周壁２４に突出し且つ上へ弧状に折り曲げられ、こりによりパッド本体１６の頂部２２も吸盤作用を有する。従って、容器１２は放置吸着し位置決め可能である。この実施例において、パッド本体１６の底部２０及び頂部２２の中央にそれぞれ貫通孔３２が設けられ、パッド本体１６の周壁２４から外方へ延在するハンドル３４が設けられ、ハンドル３４とパッド本体１６の頂部２２の周囲３０及び底部２０の周囲２８との間は、リブ３６により接続される。ハンドル３４が捻られた場合、パッド本体１６の底部２０及び頂部２２の周囲２８、３０は連動され、上へ移動される。一方、ハンドル３４に対する力を開放すると、パッド本体１６の底部２０及び頂部２２の周囲２８、３０は、弾性的に元の位置に復帰される。
【００１１】
金属板１８は、鉄、鋼、鋳鉄等の磁気伝導可能な金属材料からなる。金属板１８は、パッド本体１６の収容室２６内に収容され、底面３８がパッド本体１６の底部２０に接触し、頂面４０がパッド本体１６の頂部２２に接触する。金属板１８には、放熱用の複数の穿通孔４１が設けられている。
【００１２】
加熱パッド１０を使用した場合は、パッド本体１６の底部２０を電磁炉１４の炉面に置いて、パッド本体１６を押し下げ、パッド本体１６の下表面２９を電磁炉１４の炉面に当接させることにより、加熱パッド１０を電磁炉１４の炉面に吸着し固定することができる。さらに、容器１２をパッド本体１６の頂部２２に置くことにより、容器１２をパッド本体１６の頂部２２に吸着し位置決めすることができる。従って、容器１２は、電磁炉１４に安定的に置くことが可能である。電磁炉１４の電源がオンになった後、加熱パッド１０の金属板１８は、電磁炉１４の内部の検知装置によって検知され、電磁炉１４内部のコイルが導通することで加熱される。加熱された金属板１８が熱を容器１２に伝導し、これにより容器１２内の食べ物は加熱される。一方、図４の容器１２を電磁炉１４から除去する場合は、ハンドル３４（図４の矢印４２参照）を捻り、パッド本体１６の周囲２８、３０を移動させることにより、パッド本体１６の吸着力を除去することができる。従って、パッド本体１６及び／又は容器１２は、電磁炉１４から容易に除去可能である。
【００１３】
この実施例において、パッド本体１６の底部２０の厚みは、約０．１〜１０ｍｍを有することにより断熱効果を有し、電磁炉１４内部の検知装置は、加熱パッド１０の金属板１８を検知することができる。また、パッド本体１６の頂部２２に貫通孔３２が設けられることにより、加熱パッド１０に置かれた容器１２は、金属板１８によって加熱される。しかしながら、パッド本体１６の底部２０には貫通孔３２が設けられなくてもよい（図６参照）。また、パッド本体１６の頂部２２及び底部２０のいずれにも貫通孔３２が設けられなくてもよい（図７参照）。図７は、パッド本体１６の頂部２２の周囲３０には周壁２４が突出せず、且つパッド本体１６の頂部２２の両側にハンドル３４がそれぞれ設けられていることを示す。
【００１４】
以上のように、本考案では、底部及び頂部と、前記底部と頂部との間に接続される周壁とを含み、前記底部、頂部、及び周壁の間には収容室が区画され、前記底部の周囲が前記周壁に突出し且つ下へ弧状に折り曲げられることにより、底部の下表面が電磁炉の炉面に吸着され、頂部に容器が置かれるパッド本体と、前記パッド本体の収容室内に収容され、底面が前記パッド本体の底部に接触し、頂面が前記パッド本体の頂部に接触される金属板と、ことを特徴とする電磁炉に適用される加熱パッドとするものである。
【００１５】
また、前記パッド本体の周壁から外方へ延在し、前記パッド本体の底部周囲とリブにより接続されることにより、捻られた場合には前記パッド本体の底部周囲が連動されるようにするハンドルをさらに備えるものとする。
【００１６】
また、前記パッド本体の頂部周囲が前記周壁に突出し且つ上へ弧状に折り曲げられることにより、前記容器は、前記パッド本体の頂部に吸着可能であるものとする。
【００１７】
また、前記パッド本体は、シリカゲルの弾性変形可能な材料からなり、前記金属板は、鉄、鋼、鋳鉄等の磁気伝導可能な金属材料からなり、前記パッド本体の頂部中央及び前記パッド本体の底部中央には貫通孔が、前記金属板には複数の貫通孔がそれぞれ設けられているものとする。
【産業上の利用可能性】
【００１８】
本考案に係る加熱パッドによれば、容器は、電磁炉に安定的に置かれ加熱され、電磁炉から容易に除去可能である。
【符号の説明】
【００１９】
１０  加熱パッド
１２  容器
１４  電磁炉
１６  パッド本体
１８  金属板
２０  底部
２２  頂部
２４  周壁
２６  収容室
２８  周囲
２９  下表面
３０  周囲
３２  貫通孔
３４  ハンドル
３６  リブ
３８  底面
４０  頂面
４１  穿通孔
４２  矢印
【図１】
0003174629.tif 000003
【図２】
0003174629.tif 000004
【図３】
0003174629.tif 000005
【図４】
0003174629.tif 000006
【図５】
0003174629.tif 000007
【図６】
0003174629.tif 000008
【図７】
0003174629.tif 000009
【手続補正書】
【提出日】平成24年2月3日(2012.2.3)
【手続補正１】
【補正対象書類名】明細書
【補正対象項目名】０００８
【補正方法】変更
【補正の内容】
【０００８】
【図１】本考案に係る第１の実施例の加熱パッドの分解図を示す。
【図２】図１の加熱パッドの立体図を示す。
【図３】図２の加熱パッドの断面図を示す。
【図４】図１の加熱パッドが電磁炉の炉面に吸着され、容器が該加熱パッドに置かれる模式図を示す。
【図５】図４の容器が加熱パッドから除去される模式図を示す。
【図６】本考案に係る第２の実施例の加熱パッドの断面図を示す。
【図７】本考案に係る第３の実施例の加熱パッドの断面図を示す。